【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
最も物体側に配置されていてフォーカシング時に固定の負のパワーを持つ固定レンズ群と、フォーカシング時に少なくとも一方が光軸に沿って移動する第一の可動レンズ群及び第二の可動レンズ群と、を備え、
前記第一の可動レンズ群の単位移動量あたりの倍率変化量と前記第一の可動レンズ群の単位移動量あたりの倍率変化量が異なり、
前記第二の可動レンズ群を静止した状態にて前記第一の可動レンズ群のみが光軸に沿って移動可能であり、
前記第一の可動レンズ群を静止した状態にて前記第二の可動レンズ群のみが光軸に沿って移動可能であり、
可変間隔をレンズ群の境界として４つのレンズ群もしくは５つのレンズ群からなることを特徴とする対物光学系。
【請求項２】
前記第一の可動レンズ群が、前記第二の可動レンズ群よりも物体側に配置されており、前記第一の可動レンズ群の単位移動量あたりの倍率変化量が、前記第二の可動レンズ群の単位移動量あたりの倍率変化量よりも大きいことを特徴とする請求項１に記載の対物光学系。
【請求項３】
前記第一の可動レンズ群が、前記第二の可動レンズ群よりも物体側に配置されており、前記第一の可動レンズ群の単位移動量あたりの倍率変化量が、前記第二の可動レンズ群の単位移動量あたりの倍率変化量よりも小さいことを特徴とする請求項１に記載の対物光学系。
【請求項４】
前記第一の可動レンズ群と前記第２の可動レンズ群との間にフォーカシング時に固定の第２の固定レンズ群を有する
ことを特徴とする請求項１から３のいずれかに記載の対物光学系。
【請求項５】
前記対物光学系中で光軸に沿って移動する可動レンズ群は前記第一の可動レンズ群と前記第二の可動レンズ群の２つのみである
ことを特徴とする請求項１から４のいずれかに記載の対物光学系。
【請求項６】
最も物体側に配置されていてフォーカシング時に固定の負のパワーを持つ固定レンズ群と、フォーカシング時に少なくとも一方が光軸に沿って移動する第一の可動レンズ群及び第二の可動レンズ群と、を備え、
前記第一の可動レンズ群の単位移動量あたりの倍率変化量と前記第一の可動レンズ群の単位移動量あたりの倍率変化量が異なり、
前記第一の可動レンズ群と前記第２の可動レンズ群との間にフォーカシング時に固定の第２の固定レンズ群を有し、
可変間隔をレンズ群の境界として４つのレンズ群もしくは５つのレンズ群からなることを特徴とする対物光学系。
【請求項７】
前記第一の可動レンズ群が、前記第二の可動レンズ群よりも物体側に配置されており、前記第一の可動レンズ群の単位移動量あたりの倍率変化量が、前記第二の可動レンズ群の単位移動量あたりの倍率変化量よりも大きいことを特徴とする請求項６に記載の対物光学系。
【請求項８】
前記第一の可動レンズ群が、前記第二の可動レンズ群よりも物体側に配置されており、前記第一の可動レンズ群の単位移動量あたりの倍率変化量が、前記第二の可動レンズ群の単位移動量あたりの倍率変化量よりも小さいことを特徴とする請求項６に記載の対物光学系。
【請求項９】
前記対物光学系中で光軸に沿って移動する可動レンズ群は前記第一の可動レンズ群と前記第二の可動レンズ群の２つのみであることを特徴とする請求項６から８のいずれかに記載の対物光学系。
【手続補正２】
【補正対象書類名】明細書
【補正対象項目名】０００８
【補正方法】変更
【補正の内容】
【０００８】
上記目的を達成するために、本発明の対物光学系は、最も物体側に配置されていてフォーカシング時に固定の負のパワーを持つ固定レンズ群と、フォーカシング時に少なくとも一方が光軸に沿って移動する第一の可動レンズ群及び第二の可動レンズ群と、を備え、前記第一の可動レンズ群の単位移動量あたりの倍率変化量と前記第一の可動レンズ群の単位移動量あたりの倍率変化量が異なり、前記第二の可動レンズ群を静止した状態にて前記第一の可動レンズ群のみが光軸に沿って移動可能であり、前記第一の可動レンズ群を静止した状態にて前記第二の可動レンズ群のみが光軸に沿って移動可能であり、可変間隔をレンズ群の境界として４つのレンズ群もしくは５つのレンズ群からなることを特徴とする。
【手続補正３】
【補正対象書類名】明細書
【補正対象項目名】０００９
【補正方法】変更
【補正の内容】
【０００９】
また、本発明の対物光学系は、前記第一の可動レンズ群が、前記第二の可動レンズ群よりも物体側に配置されており、前記第一の可動レンズ群の単位移動量あたりの倍率変化量が、前記第二の可動レンズ群の単位移動量あたりの倍率変化量よりも大きいことを特徴とする。
【手続補正４】
【補正対象書類名】明細書
【補正対象項目名】００１０
【補正方法】変更
【補正の内容】
【００１０】
また、本発明の対物光学系は、前記第一の可動レンズ群が、前記第二の可動レンズ群よりも物体側に配置されており、前記第一の可動レンズ群の単位移動量あたりの倍率変化量が、前記第二の可動レンズ群の単位移動量あたりの倍率変化量よりも小さいことを特徴とする。
また、本発明の対物光学系は、前記第一の可動レンズ群と前記第２の可動レンズ群との間にフォーカシング時に固定の第２の固定レンズ群を有することを特徴とする。
また、本発明の対物光学系は、前記対物光学系中で光軸に沿って移動する可動レンズ群は前記第一の可動レンズ群と前記第二の可動レンズ群の２つのみであることを特徴とする。
また、本発明の対物光学系は、最も物体側に配置されていてフォーカシング時に固定の負のパワーを持つ固定レンズ群と、フォーカシング時に少なくとも一方が光軸に沿って移動する第一の可動レンズ群及び第二の可動レンズ群と、を備え、前記第一の可動レンズ群の単位移動量あたりの倍率変化量と前記第一の可動レンズ群の単位移動量あたりの倍率変化量が異なり、前記第一の可動レンズ群と前記第２の可動レンズ群との間にフォーカシング時に固定の第２の固定レンズ群を有し、可変間隔をレンズ群の境界として４つのレンズ群もしくは５つのレンズ群からなることを特徴とする。
また、本発明の対物光学系は、前記第一の可動レンズ群が、前記第二の可動レンズ群よりも物体側に配置されており、前記第一の可動レンズ群の単位移動量あたりの倍率変化量が、前記第二の可動レンズ群の単位移動量あたりの倍率変化量よりも大きいことを特徴とする。
また、本発明の対物光学系は、前記第一の可動レンズ群が、前記第二の可動レンズ群よりも物体側に配置されており、前記第一の可動レンズ群の単位移動量あたりの倍率変化量が、前記第二の可動レンズ群の単位移動量あたりの倍率変化量よりも小さいことを特徴とする。
また、本発明の対物光学系は、前記対物光学系中で光軸に沿って移動する可動レンズ群は前記第一の可動レンズ群と前記第二の可動レンズ群の２つのみであることを特徴とする。
【手続補正５】
【補正対象書類名】明細書
【補正対象項目名】００１４
【補正方法】変更
【補正の内容】
【００１４】
本実施形態の対物光学系は、最も物体側に配置されていてフォーカシング時に固定の負のパワーを持つ固定レンズ群と、フォーカシング時に少なくとも一方が光軸に沿って移動する第一の可動レンズ群及び第二の可動レンズ群と、を備え、前記第一の可動レンズ群の単位移動量あたりの倍率変化量と前記第一の可動レンズ群の単位移動量あたりの倍率変化量が異なり、前記第二の可動レンズ群を静止した状態にて前記第一の可動レンズ群のみが光軸に沿って移動可能であり、前記第一の可動レンズ群を静止した状態にて前記第二の可動レンズ群のみが光軸に沿って移動可能であり、可変間隔をレンズ群の境界として４つのレンズ群もしくは５つのレンズ群からなることを特徴とする。
【手続補正６】
【補正対象書類名】明細書
【補正対象項目名】００３２
【補正方法】変更
【補正の内容】
【００３２】
また、この対物光学系では、第三レンズ群Ｇ３を静止した状態にて第二レンズ群Ｇ２のみが光軸に沿って移動可能であり、第二レンズ群Ｇ２を静止した状態にて第三レンズ群Ｇ３のみが光軸に沿って移動可能に構成されている。
なお、この対物光学系では、第三レンズ群Ｇ３の単位移動量あたりの倍率変化量が、第二レンズ群Ｇ２の単位移動量あたりの倍率変化量よりも大きい。
【手続補正７】
【補正対象書類名】明細書
【補正対象項目名】００４４
【補正方法】変更
【補正の内容】
【００４４】
また、この対物光学系では、第四レンズ群Ｇ４を静止した状態にて第二レンズ群Ｇ２のみが光軸に沿って移動可能であり、第二レンズ群Ｇ２を静止した状態にて第四レンズ群Ｇ４のみが光軸に沿って移動可能に構成されている。
なお、この対物光学系では、第四レンズ群Ｇ４の単位移動量あたりの倍率変化量が、第二レンズ群Ｇ２の単位移動量あたりの倍率変化量よりも大きい。
【手続補正８】
【補正対象書類名】明細書
【補正対象項目名】００５６
【補正方法】変更
【補正の内容】
【００５６】
また、この対物光学系では、第四レンズ群Ｇ４を静止した状態にて第二レンズ群Ｇ２のみが光軸に沿って移動可能であり、第二レンズ群Ｇ２を静止した状態にて第四レンズ群Ｇ４のみが光軸に沿って移動可能に構成されている。
なお、この対物光学系では、第四レンズ群Ｇ４の単位移動量あたりの倍率変化量が、第二レンズ群Ｇ２の単位移動量あたりの倍率変化量よりも大きい。
【手続補正９】
【補正対象書類名】明細書
【補正対象項目名】００６８
【補正方法】変更
【補正の内容】
【００６８】
また、この対物光学系では、第四レンズ群Ｇ４を静止した状態にて第二レンズ群Ｇ２のみが光軸に沿って移動可能であり、第二レンズ群Ｇ２を静止した状態にて第四レンズ群Ｇ４のみが光軸に沿って移動可能に構成されている。
なお、この対物光学系では、第四レンズ群Ｇ４の単位移動量あたりの倍率変化量が、第二レンズ群Ｇ２の単位移動量あたりの倍率変化量よりも大きい。
【手続補正１０】
【補正対象書類名】明細書
【補正対象項目名】００８０
【補正方法】変更
【補正の内容】
【００８０】
また、この対物光学系では、第四レンズ群Ｇ４を静止した状態にて第二レンズ群Ｇ２のみが光軸に沿って移動可能であり、第二レンズ群Ｇ２を静止した状態にて第四レンズ群Ｇ４のみが光軸に沿って移動可能に構成されている。
なお、この対物光学系では、第四レンズ群Ｇ４の単位移動量あたりの倍率変化量が、第二レンズ群Ｇ２の単位移動量あたりの倍率変化量よりも大きい。
【手続補正１１】
【補正対象書類名】明細書
【補正対象項目名】００９２
【補正方法】変更
【補正の内容】
【００９２】
また、この対物光学系では、第四レンズ群Ｇ４を静止した状態にて第二レンズ群Ｇ２のみが光軸に沿って移動可能であり、第二レンズ群Ｇ２を静止した状態にて第四レンズ群Ｇ４のみが光軸に沿って移動可能に構成されている。
なお、この対物光学系では、第四レンズ群Ｇ４の単位移動量あたりの倍率変化量が、第二レンズ群Ｇ２の単位移動量あたりの倍率変化量よりも大きい。
【手続補正１２】
【補正対象書類名】明細書
【補正対象項目名】０１０４
【補正方法】変更
【補正の内容】
【０１０４】
また、この対物光学系では、第四レンズ群Ｇ４を静止した状態にて第二レンズ群Ｇ２のみが光軸に沿って移動可能であり、第二レンズ群Ｇ２を静止した状態にて第四レンズ群Ｇ４のみが光軸に沿って移動可能に構成されている。
なお、この対物光学系では、第四レンズ群Ｇ４の単位移動量あたりの倍率変化量が、第二レンズ群Ｇ２の単位移動量あたりの倍率変化量よりも小さい。
【手続補正１３】
【補正対象書類名】明細書
【補正対象項目名】０１１６
【補正方法】変更
【補正の内容】
【０１１６】
また、この対物光学系では、第四レンズ群Ｇ４を静止した状態にて第二レンズ群Ｇ２のみが光軸に沿って移動可能であり、第二レンズ群Ｇ２を静止した状態にて第四レンズ群Ｇ４のみが光軸に沿って移動可能に構成されている。
なお、この対物光学系では、第四レンズ群Ｇ４の単位移動量あたりの倍率変化量が、第二レンズ群Ｇ２の単位移動量あたりの倍率変化量よりも小さい。